【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
コンピュータネットワークに接続されたデバイスの固定座標系における位置を判定する方法であって、
コンピュータネットワークを通じてモデルサーバと通信することにより、固定座標系におけるデバイスの位置を第１確度レベルで推定するステップと、
前記第１確度レベルで推定された位置に関する測位システムの信号特性に関するデータを前記コンピュータネットワークを通じて取得するステップと、
前記コンピュータネットワークに接続される少なくとも１つのピアリングポイントサーバを設け、前記少なくとも１つのピアリングポイントサーバの時刻基準及び周波数基準を前記測位システムの時刻基準及び周波数基準に校正するステップと、
前記デバイスと前記少なくとも１つのピアリングポイントサーバとの間の前記コンピュータネットワークを通じた通信を少なくとも部分的に通じて、前記デバイスの時刻基準及び周波数基準を前記少なくとも１つのピアリングポイントサーバの時刻基準及び周波数基準に校正するステップと、
前記デバイスの受信機の時刻要素及び周波数要素を、前記取得するステップで獲得された前記測位システムの少なくとも１つの送信機の信号特性に一致させるステップと、
前記測位システムの少なくとも１つの送信機から複数の信号を受信するステップと、
前記校正結果および前記受信した複数の信号に少なくとも部分的に基づいて、前記固定座標系におけるデバイスの位置を前記第１確度レベルよりも高い確度の第２確度レベルで判定するステップと、
を備える方法。
【請求項２】
前記コンピュータネットワークは非同期ネットワークである、請求項１記載の方法。
【請求項３】
前記コンピュータネットワークはインターネットプロトコル（ＩＰ）ネットワークである、請求項２記載の方法。
【請求項４】
前記デバイスはボイスオーバーインターネットプロトコル（ＶｏＩＰ）を使用して動作する、請求項３記載の方法。
【請求項５】
前記固定座標系は、全地球的航法衛星サービス（ＧＮＳＳ）システムで使用される固定座標系である、請求項１記載の方法。
【請求項６】
前記ＧＮＳＳシステムはＧＰＳである、請求項５記載の方法。
【請求項７】
請求項１記載の方法は更に、
前記モデルサーバと前記デバイスとの間のルーティングのためにＩＰトレース・ルートを実行するステップと、
前記コンピュータネットワーク上の他のデバイスの少なくとも１つの位置データベースにアクセスするステップと、を備え、
前記推定は、前記ＩＰトレース・ルートで判明した前記コンピュータネットワークに接続される別のデバイスの位置に少なくとも部分的に基づいて行なわれる、方法。
【請求項８】
前記少なくとも１つの位置データベースの少なくとも１つは、請求項１８記載の方法を実行してデータを収集することにより構築されている、請求項７記載の方法。
【請求項９】
前記推定は、前記デバイスに接続されるルータに接続された装置の前記固定座標系における既知の位置に基づいて行なわれる、請求項１記載の方法。
【請求項１０】
前記測位システムはＧＮＳＳシステムである、請求項１記載の方法。
【請求項１１】
前記測位システムはＧＰＳであり、前記ピアリングポイントサーバの時刻基準及び周波数基準は、前記ＧＰＳから受信する信号に少なくとも部分的に基づいて前記ＧＰＳの時刻基準及び周波数基準に校正される、請求項１記載の方法。
【請求項１２】
請求項１記載の方法は更に、
局所大気圧を求めるステップと、
前記デバイス内に位置する気圧高度計を前記局所大気圧に基づき校正するステップと、
を備える、方法。
【請求項１３】
請求項１記載の方法は更に、
前記デバイスと前記少なくとも１つのピアリングポイントサーバとの間の前記コンピュータネットワークを通じた通信の特性に基づいて前記第１確度レベルを改善するステップを備える、方法。
【請求項１４】
前記校正は、前記デバイスと前記少なくとも１つのピアリングポイントサーバのうちの１つとの間で行なわれ、該校正は、前記１つのピアリングポイントサーバと前記デバイスとの間の双方向通信によって容易になる、請求項１記載の方法。
【請求項１５】
前記校正は、前記デバイスと複数の前記ピアリングポイントサーバとの間で行なわれる、請求項１記載の方法。
【請求項１６】
前記校正は、前記デバイスから複数の前記ピアリングポイントサーバへの単方向通信によって容易になる、請求項１５記載の方法。
【請求項１７】
前記測位システムはＧＮＳＳシステムであり、
前記受信するステップは、前記複数の信号を約１秒よりも長い期間に渡って獲得することを含み、前記約１秒よりも長い期間の間における何れか１秒の期間の間に受信する信号だけでは、前記デバイスの位置を判定するためには不十分である、請求項１記載の方法。
【請求項１８】
前記測位システムはＧＮＳＳシステムであり、
前記受信するステップは、前記複数の信号を約１時間よりも長い期間に渡って獲得することを含み、前記約１時間よりも長い期間の間における何れか１時間の期間の間に受信する信号だけでは、前記デバイスの位置を判定するためには不十分である、請求項１記載の方法。
【請求項１９】
前記測位システムはＧＮＳＳシステムであり、
前記受信するステップは、前記ＧＮＳＳシステムの１つの衛星のみから前記複数の信号を獲得することを含む、請求項１７記載の方法。
【請求項２０】
前記判定を行うために必要な計算は、前記デバイスの一部分でなく、前記コンピュータネットワークに接続されるモジュールによって行なわれる、請求項１記載の方法。
【請求項２１】
前記判定は、前記測位システムの単一の送信機から複数の信号を受信することによって行われる、請求項１記載の方法。
【請求項２２】
請求項１記載の方法は更に、前記判定された位置に基づいて、前記デバイスの位置情報を前記デバイスから通知するステップを備える、請求項１記載の方法。
【請求項２３】
前記デバイスは無線アクセスポイントである、請求項１記載の方法。
【請求項２４】
前記無線アクセスポイントと通信する無線デバイスは、
前記無線アクセスポイントに対する無線デバイスの位置を求め、
前記固定座標系における無線デバイスの位置を、前記無線アクセスポイントの位置と、前記無線アクセスポイントに対する前記無線デバイスの位置とに基づいて求める、請求項２３記載の方法。
【請求項２５】
装置であって、
ネットワークインターフェースモジュールと、
測位システムの送信機からの信号を受信する信号受信モジュールと、
前記信号受信モジュールを調整する周波数及び時刻調整モジュールであって、前記ネットワークインターフェースモジュールを介したネットワークとの接続を通じて、前記測位システムに関する周波数及び時刻調整情報を取得するように動作する周波数及び時刻調整モジュールと、
前記ネットワークインターフェースモジュールを介した前記ネットワークとの接続を通じて、当該装置の時刻基準を前記測位システムの時刻基準により校正するように動作するタイミングモジュールと、
を備える装置。
【請求項２６】
請求項２５記載の装置はＶｏＩＰユニットである、装置。
【請求項２７】
請求項２５記載の装置は更に気圧センサを備える、装置。
【請求項２８】
ボイスオーバー・インターネット・プロトコル（ＶｏＩＰ）装置であって、
音声をデータに変換し、データを音声に変換するように動作する音声変換モジュールと、
ネットワークインターフェースモジュールと、
ＧＮＳＳの送信機からの信号を受信する信号受信モジュールと、
前記信号受信モジュールを調整する周波数及び時刻調整モジュールであって、前記ネットワークインターフェースモジュールを介したネットワークとの接続を通じて、前記ＧＮＳＳに関する周波数及び時刻情報を取得するように動作する周波数及び時刻調整モジュールと、
前記ネットワークインターフェースモジュールを介した前記ネットワークとの接続を通じて、当該装置の時刻基準を前記ＧＮＳＳの時刻基準により校正するように動作するタイミングモジュールと、
前記信号受信モジュールによって受信された信号を処理する処理モジュールであって、前記校正結果及び前記信号受信モジュールによって受信された信号に少なくとも部分的に基づいて前記ＧＮＳＳに対する当該装置の位置を判定するように動作する処理モジュールと、
を備えるＶｏＩＰ装置。
【請求項２９】
ネットワークに接続されたデバイスの位置を固定座標系において判定するために使用されるシステムであって、
ネットワークに接続され、測位システムの送信機からの信号を受信するように動作するデバイスと、
前記ネットワークを通じて前記デバイスと通信し、前記測位システムの送信機の信号特性に関する情報を前記デバイスに供給するように動作するモデルサーバと、
前記ネットワークを通じて前記デバイスと通信し、前記デバイスの時刻基準を前記測位システムの時刻基準に前記ネットワークを通じて校正するように動作するピアリングポイントサーバと、
を備えるシステム。
【請求項３０】
非同期ネットワークに接続されたデバイスの時刻基準及び周波数基準を、衛星利用測位システムの時刻基準及び周波数基準により校正するために使用される装置であって、
前記衛星利用測位システムからの信号に対応する入力情報を取得する構造と、
当該装置の時刻基準及び周波数基準を前記衛星利用測位システムの時刻基準及び周波数基準に同期させる処理モジュールであって、前記衛星利用測位システムの時刻基準及び周波数基準は、前記入力情報に基づいて生成される、処理モジュールと、
前記デバイスに宛先指定された前記非同期ネットワークへの出力を生成するインターフェースモジュールであって、前記出力は前記衛星利用測位システムの時刻基準及び周波数基準に校正され、前記デバイスは前記出力を使用することにより前記デバイスの時刻基準及び周波数基準を前記衛星利用測位システムの時刻基準及び周波数基準に校正可能である、インターフェースモジュールと、
を備える装置。